(57)【特許請求の範囲】
【請求項１】
撮影レンズを通過した光束を複数の光束に分割し、撮像の際には撮像光束外へ退避する第１反射部材と、該第１反射部材からの光束を反射させる第２反射部材とを有し、該第２反射部材で反射した光束を焦点検出装置に導光する光学機器において、
該第１反射部材と第２反射部材との間には該第１反射部材により分割された光束の射出角を小さくする方向に偏向させる光偏向部材が設けられていることを特徴とする光学機器。
【請求項２】
前記第１反射部材は半透過面を利用して、前記撮影レンズからの光束を２つに分割していることを特徴とする請求項１の光学機器。
【請求項３】
前記光偏向部材は回折光学素子より成り、前記反射部材の半透過面を通過してきた光束を偏向していることを特徴とする請求項２の光学機器。
【発明の詳細な説明】
【０００１】
【発明の属する技術分野】
本発明はＴＴＬ方式のファインダ，焦点検出光学系、そして測光光学系等を備えたフィルム用カメラやビデオカメラ、そしてデジタルカメラなどの光学機器に関するものである。
【０００２】
【従来の技術】
従来より一眼レフカメラ等においては、撮影レンズを通過した光束を２つに分割し、一方をファインダ光学系へ、他方を主ミラーと感光面との間のミラーボックス内の焦点検出光学系とに導光した構成のものが知られている。図１３は特開平９−１８４６９６号公報で開示されているカメラの概略図である。図中、１０１は撮影を行うための撮影レンズ、１０２は半透過性の主ミラー、１０３は焦点板、１０４はペンタプリズム、１０５は接眼レンズ、１０６は集光性を有する凹面状の反射鏡、１０７はフィルム面（結像面）、１０８は撮影レンズ１０１の合焦状態を検出する焦点検出装置をそれぞれ示している。
【０００３】
同図において、不図示の被写体からの光束は撮影レンズ１０１を通過後、主ミラー１０２より上方に反射され、焦点板１０３上に被写体像を形成する。焦点板１０３上に形成された被写体像はペンタプリズム１０４による複数回の反射を経て接眼レンズ１０５を介して撮影者又は観察者によって視認される。一方、撮影レンズ１０１から主ミラー１０２に到達した拘束のうちの一部は主ミラー１０２の透過部を透過し、集光性を有する凹面状の反射鏡１０６により下方に反射され焦点検出装置１０８に導かれる。焦点検出装置１０８は、一般的に像ずれ方式（位相差検出方式）と呼ばれる周知の焦点検出装置である。ここで、集光性を有する凹面状の反射鏡１０９は撮影レンズ１０１の射出瞳位置と焦点検出装置１０８内の不図示の２次結像系の入射位置がほぼ結像するように配置されており、従来より結像面近傍に設けているフィールドレンズとしての機能を果たしている。
【０００４】
以上のように，従来例ではフィールドレンズを省いた構成が可能となり、反射鏡１０６の配置にも自由度があった。又、反射鏡１０６の位置を後方に配置すると、撮影範囲中の広い領域からの光束が反射鏡１０６に入射するようになり、撮影画面内の広範囲の領域で焦点検出することが可能となっている。
【０００５】
【発明が解決しようとする課題】
図１３に示す一眼レフカメラにおいては、凹面状の反射鏡１０６とフィルム面１０７の間に配設される不図示のシャッタユニットとの関係から凹面状の反射鏡１０６の大きさをあまり大きくすることができない。一方、焦点検出装置１０８に入射する光束は凹面状の反射鏡１０６の大きさによって制限されてしまうので、撮影範囲中の焦点検出可能な領域は凹面上の反射鏡１０６の大きさで決まってくる。従って、図１３に示す構成では焦点検出可能な領域の拡大には限度があった。
【０００６】
本発明は、撮影範囲内の上下方向と左右方向の任意の広い領域で焦点検出ができること、又は、広い領域にまたがる複数の領域で焦点検出ができること、又は、連続した２次元領域内の任意の点においても焦点検出ができる光学機器の提供を目的とする。
【０００７】
【課題を解決するための手段】
請求項１の発明の光学機器は、撮影レンズを通過した光束を複数の光束に分割し、撮像の際には撮像光束外へ退避する第１反射部材と、該第１反射部材からの光束を反射させる第２反射部材とを有し、該第２反射部材で反射した光束を焦点検出装置に導光する光学機器において、
該第１反射部材と第２反射部材との間には該第１反射部材により分割された光束の射出角を小さくする方向に偏向させる光偏向部材が設けられていることを特徴としている。
【０００８】
請求項２の発明は請求項１の発明において、前記第１反射部材は半透過面を利用して、前記撮影レンズからの光束を２つに分割していることを特徴としている。
【０００９】
請求項３の発明は請求項２の発明において、前記光偏向部材は回折光学素子より成り、前記反射部材の半透過面を通過してきた光束を偏向していることを特徴としている。
【００２２】
【発明の実施の形態】
図１は本発明の光学機器の実施形態１の要部概略図である。同図は焦点検出装置を有したカメラ等の光学機器を示している。図２は図１の焦点検出装置を構成する主要部分の要部概略図であり、焦点検出系に入射する光束の光路を示している。図中１は撮影レンズ、１ａは撮影レンズ１の瞳である。２は撮影レンズ１の光軸（一点鎖線）、３はフィルム面や撮像素子等の撮像面である。４は撮影レンズ１の光軸２上に配置された回動可能な半透過面を有する主ミラー（反射部材）、５は焦点板であり、撮影レンズ１による被写体像が主ミラー４を介して結像している。６はペンタプリズム、７は接眼レンズである。焦点板５上の被写体像をペンタプリズム６と接眼レンズ７を介して観察している。
【００２３】
８は撮影レンズ１の像面側に光軸２上に対して斜めに配置された回動可能なサブミラー、９は主ミラー４の裏面に設けられた偏向手段であり、同図では回折光学素子（Diffaractive Optical Element以下「ＤＯＥ」と称する）より成っている。尚、偏向手段として複数の小プリズムを１次元方向に配列したプリズムアレイを用いても良い。１０はサブミラー８及び回折光学素子９による撮像面３に共役な近軸的結像面で、被写体像が結像している。ここで、主ミラー４は第１の反射鏡を、サブミラー８は第２の反射鏡をそれぞれ示している。
【００２４】
ここで、ＤＯＥ９の構成については「光学」２２巻、第１２６〜１３０頁（小野雄三）等で紹介されているが、以下に簡単にＤＯＥの特徴を説明する。ＤＯＥは光の回折現象に基づく光学素子であり、例えば図３に示すようにＤＯＥ９への光束の入射角をθ、射出角をθ'、回折次数をｍ、回折格子のピッチをｄとすると次の式に従い回折現象が起きる。
【００２５】
sinθ−sinθ'＝ｍλ/ｄ      （１）
このような回折現象を応用した焦点検出光学系の一例が特開昭６１−１３４７１６号公報に提案されている。この提案では回折現象によって入射光をほぼ同じ光量に分割された複数の回折次数の光束を用いている。一方、一つの回折次数の光束に注目したとき、例えば図４のように回折格子９のピッチｄを連続的に変化させるとｍ次の回折光を集光させるなどのレンズ作用を持たせることができる。ＤＯＥ９の断面形状を図５のように鋸状にし、この山の高さｈを次式（２）を満足するように構成すると波長λの入射光についてｍ次の回折光が１００％となる（本実施形態ではｍ次の回折光が１００％近いものを用いている）。ただし、ｎは基材の屈折率である。
【００２６】
ｈ＝ｍλ/（ｎ−１）      （２）
このような形状をキノフォーム（kinoform）と呼ぶ。図６に示すようにこのキノフォームを段階近似した形成のＤＯＥはバイナリ光学素子（Binary Optical Element）と称されている。バイナリ光学素子はリソグラフティ的な製法で比較適容易に制作できる。バイナリ光学素子では、図６（Ａ）の４段階近似で８１％、図６（Ｂ）の８段階近似で９５％、１６段階近似で９９％の回折効率が得られることが知られている。また、（１）式から分かるように、ＤＯＥで構成したレンズの焦点距離の波長特性は次式（３）のようになり、所謂アッベ数に換算するとνｄ＝−３．４５となり大きな逆分散を持つといえる。ただし、ｆ(λ)はＤＯＥで構成したレンズの波長λにおける焦点距離とする。
【００２７】
λ×ｆ(λ)＝一定      （３）
また、波長λ０で回折効率を１００％にしたキノフォームの波長λの回折効率ｋは次式（４）に従うことが、知られている。
【００２８】
ｋ＝sin2[π(λ0/λ−ｍ)]/[π(λ0/λ−ｍ)]2     （４）
本実施形態では、以上のような構成の回折光学素子を用いている。
【００２９】
図１，図２に戻り、１１はフィールドレンズ、１２は反射鏡、１３は赤外線カットフィルター、１４は２つの開口を有する絞り、１５は絞り１４の２つの開口に対応して配置された２つのレンズ部を有する２次結像系、１６は２つのエリアセンサを有する光電変換素子（受光手段）をそれぞれ示している。サブミラー８，フィールドレンズ１１、反射鏡１２、２次結像系１３等は焦点検出用の光学手段の一要素を構成している。
【００３０】
図７は図１の絞り１４の平面図である。絞り１４は横長の２つの開口１４−１，１４−２を開口幅の狭い方向（撮影範囲の左右方向）に並べた構成となっている。図中点線で示されているのは、絞り１４の開口１４−１，１４−２に対応して、その後方に配置されている前記２次結像系１５の各レンズ１５−１，１５−２である。図８は光電変換素子１６の平面図であり、２次元的に複数の画素を配列した２つのエリアセンサ１６−１，１６−２より形成される。
【００３１】
また、フィールドレンズ１１は撮影レンズ１の射出瞳位置（種々の撮影レンズが交換して用いられる場合にはそれらの平均的な射出瞳位置）１ａと２次結像系１３の入射位置がほぼ結像されるように（共役となるように）している。
【００３２】
以上の構成において、図２より主ミラー４を透過した光束は、主ミラー４の裏面に設けられたＤＯＥ９に入射し、その回折現象により射出角を変えて射出する。ここで、ＤＯＥ９を通過した光束の射出角の変化量は、通過領域の任意の位置においてほぼ均等である。その後、ＤＯＥ９により射出角を変えた光束は、サブミラー８によりほぼサブミラー８の傾きに沿った方向に反射され、近軸的結像面１０に被写体像を結像する。ここで、図中点線は、主ミラー４を透過する光束がフィルム面３に到達した場合を示している。近軸的結像面１０に結像した被写体像からの光束はフィールドレンズ１１を通過後、反射鏡１２により反射して再び方向を変え、赤外線カットフィルター１３、絞り１４の２つの開口１４−１，１４−２を経て、２次結像系１５の各レンズ１５−１，１５−２により集光され、光電変換素子１６のエリアセンサ１６−１，１６−２上にそれぞれ到達し、物体像を再結像（２次像）する。
【００３３】
図２における光束は、フィルム（撮影範囲中）３上の所定の２次元領域に対応した光電変換素子１６のエリアセンサ１６−１，１６−２で示される２次元領域に結像する光束であり、光電変換素子１６の各エリアセンサ１６−１，１６−２上に被写体像に関する２つの２次像が形成され、光電変換素子１６の各エリアセンサ１６−１，１６−２によって、２つの２次像に関する２つの光量分布が形成される。また、本実施形態においては２次結像系１５の入射側の面（第１面）１５ａを凹面形状とすることで、２次結像系１５に入射する光が無理に屈折されることがないようなレンズ構成とし、光電変換素子１６上の２次元領域の広い範囲にわたって良好な２次像を結像している。ここで、図２において近軸的結像面１０に注目してみると、近軸的結像面１０は焦点検出系の光軸２ａと直交せずに傾いている。
【００３４】
これは、ＤＯＥ９を通過した光束の射出角が回折現象により変化したことに起因する。従って、２次結像系１５によって再結像される２次像結像面１７も、近軸的結像面１０と同様に光電変換素子１６に対して傾きを持つ。
【００３５】
上記のように、像面が光軸２ａに対して傾きを有する場合、図９に示されるように、光電変換素子１６の各エリアセンサ１６−１，１６−２に結像される２次像１８−１，１８−２にはほぼ台形型の歪曲が生じている。
【００３６】
しかしながら、本実施例では、絞り１４による撮影レンズの射出瞳１ａを左右（図１の紙面垂直方向）に分離した２次像を用いて焦点検出を行っているので、２次像１８−１，１８−２のに生じる歪曲は対称性を有している。従って、光電変換素子１６の各エリアセンサ１６−１，１６−２上に形成される２つの２次像１８−１，１８−２に関する２つの光量分布も対称性を有している。このようにして得られた被写体像に関する２つの光量分布に対して、周知の像ずれ方式の焦点検出原理に基づき、射出瞳１ａの分離方向、即ち図９に示す２つのエリアセンサ１６−１，１６−２上の２次像１８−１，１８−２の相対的位置関係をエリアセンサ１６−１，１６−２の任意の複数の素子より成る各位置で算出することで撮影レンズ１の焦点状態を２次元的に撮影範囲中の任意の領域で検出可能としている。
【００３７】
このように、主ミラー４の裏面にＤＯＥ９を設けることによって、図２に示すように主ミラー４を透過した光束の射出角はθ２になる。ここで、主ミラー４の射出角θ２とは、主ミラー４の法線と主ミラー４を透過した光束のなす角度である。一方、ＤＯＥ９がない場合の射出角は図２に示すようにθ１となり、角度θ１とθ２の関係は以下のようになる。
【００３８】
θ１＞θ２      （５）
式（５）より、ＤＯＥ９により主ミラー４からの光束の射出角は小さくなる。それに伴いサブミラー８の反射角も小さくなり、サブミラー８をより垂直に近い状態で配置することが可能になる。従って、サブミラー８とフィルム面３の間に配置される不図示のシャッタユニットとサブミラー８との間隔にも余裕ができるので、サブミラー８を可能な限り大きくすることができる。一方、焦点検出系に入射する光束はサブミラー８の大きさによって制限されるため撮影範囲中の焦点検出可能な領域はサブミラー８の大きさで決まってしまう。本実施例では、上記のようにＤＯＥ９によりサブミラー８を可能な限り大きくすることができるようにして、結果として撮影範囲中の広い領域での焦点検出を可能としている。
【００３９】
本実施例においては、撮影レンズ１の射出瞳１ａを左右方向の２つの領域に分離し、それらの各領域を通過する光束より形成した２次像を用いて焦点検出を行う例を示したが、撮影レンズ１の射出瞳１ａを上下方向の２つの領域に分離し、それらの各領域を通過した光束より形成した２次像を用いて焦点検出を行う場合でも、特開平１０−３１１９４５号公報に開示されている２次像の歪曲整えデーフォーカスに伴う２次像の移動速度を一定にする像信号の補正処理技術を用いれば、像ずれ方式の焦点検出も可能である。また、更に、撮影レンズ１の射出瞳１ａを上下及び左右方向の４つの領域に分割し、各領域を通過した光束により形成される２対の２次像で焦点検出を行うような構成も適用可能である。
【００４０】
尚、本実施形態において光偏向部材９を用いることにより色収差が発生する。このときには新たに色収差補正用レンズを光偏向部材９と光電変換素子１６との間に設けても良い。
【００４１】
図１０は本発明の実施形態２の要部概略図である。同図は焦点検出装置をカメラ等の光学機器を示している。図１１は図１０の焦点検出装置を構成する主要部分の要部概略図で、焦点検出系に入射する光束を示している。尚、これらの図において実施形態１と同様の符号を付しているものは同様の機能を有する要素を示すものとし、詳細な説明は省略する。図中１９は撮影レンズ１の像面側に光軸２上に対して斜めに配置された回転楕円体等の一部からなる集光性を有する反射鏡で、フィルム面３と等価な位置関係にある近軸的結像面２０に被写体像を縮小結像している。ここで、集光性を有する反射鏡１９は第２の反射鏡を示している
本実施形態において、集光性を有する反射鏡１９は、２次曲線を軸回りに回転してできる曲面の一部で構成されていて、特に回転楕円体が好適に用いられる。
【００４２】
図１１においては、集光性を有する反射鏡１９の表面形状は点２１を頂点とする楕円２２を軸２３回りに回転させてできる回転楕円面の一部からなり、その焦点は、反射鏡１２による絞り１４の中心と等価な、焦点検出光学系に入射する光束の光軸２ａの延長上の点２４付近と主ミラー４を透過後の光軸２ｂの延長上の点（不図示）付近に設定されている。そして、光軸２ｂの延長上の点が撮影レンズ１の射出瞳位置１ａ（種々の交換レンズが交換して用いられる場合にはそれらの平均的な射出瞳位置）と光学的に等価な位置にあるようにして、撮影レンズ１の射出瞳１ａと２次結像系１５の入射位置がほぼ結像されるようにしている。これにより、集光性を有する反射鏡１９が理想的なフィールドレンズとしての機能を果たすようにしている。ここで、図１１から明らかなように、集光性を有する反射鏡１９として光学的に使用しているのは回転楕円面の回転軸及び頂点を含まない領域である。
【００４３】
図１１において、主ミラー４を透過した光束は、実施形態１と同様の経路を経て光電変換素子１６のエリアセンサ上にそれぞれ到達する。ここで、本実施形態における絞り１４及び光電変換素子１６は実施形態１の図７及び図８と同様なので、同じ図を用いることとする。図１１における光束は、フィルム（撮影範囲中）３上の所定の２次元領域に対応した光電変換素子１６のエリアセンサ１６−１，１６−２で示される２次元領域に結像する光束であり、光電変換素子１６の各エリアセンサ１６−１，１６−２上に被写体像に関する２つの２次像が形成され、光電変換素子１６の各エリアセンサ１６−１，１６−２によって、２つの２次像に関する２つの光量分布が形成される。
【００４４】
また、本実施形態においては２次結像系１５の入射側の面（第１面）１５ａを凹面形状とすることで、２次結像系１５に入射する光が無理に屈折されることがないようなレンズ構成とし、光電変換素子１６上の２次元領域の広い範囲にわたって良好な２次像を結像している。
【００４５】
ここで、図１１において近軸的結像面２０に注目してみると、実施形態１と同様に近軸的結像面２０は焦点検出系の光軸２ａと直交せずに傾いている。従って、光電変換素子１６の各エリアセンサ１６−１，１６−２に結像される２次像にも歪曲が生じる。更に、本実施形態では、集光性の反射鏡１９を撮影レンズ１の光軸２に対して斜設しているために、光電変換素子１６上に結像される２次像は扇形状の歪曲が生じている。図１２は、このときの光電変換素子１６上に結像される１対の２次像２５−１，２５−２を示すもので、大きな歪曲収差が発生している。
【００４６】
本実施形態では、絞り１４による撮影レンズ１の射出瞳１ａを左右（図１０の紙面垂直方向）に分離した２次像を用いて焦点検出を行っているので、２次像２５−１，２５−２のに生じる歪曲は対称性を有している。従って、光電変換素子１６の各エリアセンサ１６−１，１６−２上に形成される２つの２次像２５−１，２５−２に関する２つの光量分布も対称性を有している。このようにして得られた被写体像に関する２つの光量分布に対して、周知の像ずれ方式の焦点検出原理に基づき、射出瞳１ａの分離方向、即ち図１２に示す２つのエリアセンサ１６−１，１６−２上の２次像２５−１，２５−２の相対的位置関係をエリアセンサ１６−１，１６−２の任意の複数の素子より成る各位置で算出することで撮影レンズ１の焦点状態を２次元的に撮影範囲中の任意の領域で検出可能としている。
【００４７】
このように、主ミラー４の裏面にＤＯＥ９を設けることによって、図１１に示すように主ミラー４を透過した光束の射出角はθ４になる。ここで、主ミラー４を通過した光束の射出角とは主ミラー４の法線と主ミラー４を透過した光束（光軸２ｂ）のなす角度である。一方、ＤＯＥ９がない場合の射出角は図１１に示すようにθ3となり、θ3とθ４の関係は以下のようになる。
【００４８】
θ３＞θ４          （６）
式（６）より、ＤＯＥ９により主ミラー４の射出角は小さくなる。また、それに伴い集光性を有する回動可能な反射鏡１９を光軸２に対しての反射角も小さくなり、集光性を有する反射鏡１９を光軸２に対してより垂直に近い状態で配置することが可能になる。従って、集光性を有する反射鏡１９とフィルム面３の間に配置される不図示のシャッタユニットに対する集光性を有する反射鏡１９との間隔（空間）にも余裕ができる。この為、集光性を有する反射鏡１９を可能な限り大きくすることができる。
【００４９】
一方、焦点検出系に入射する光束はサブミラーの大きさによって制限されるため撮影範囲中の焦点検出可能な領域は集光性を有する反射鏡１９の大きさで決まってしまう。
【００５０】
本実施形態では、上記のようにＤＯＥ９により集光性を有する反射鏡１９を可能な限り大きくすことができ、結果として撮影範囲中の広い領域での焦点検出を可能としている。更に、本実施形態においては、集光性を有する反射鏡１９がフィールドレンズとしての機能も果たしているので、焦点検出装置にフィールドレンズを設ける必要がなく、フィールドレンズの大きさで焦点検出可能な領域が規制されてしまう恐れもない。従って、焦点検出光学系の設計にも自由度が増し、撮影範囲中のより広い領域で焦点検出を容易に行うことが可能である。
【００５１】
本実施形態においては、撮影レンズ１の射出瞳１ａを左右方向の２つの領域に分離し、それらの各領域を通過した光束より形成した２次像を用いて焦点検出を行う例を示したが、撮影レンズ１の射出瞳１ａを上下方向の２つの領域に分離し、それらの各領域を通過した光束より形成した２次像を用いて焦点検出を行う場合でも、特開平１０−３１１９４５号公報に開示されている２次像の歪曲整えデーフォーカスに伴う２次像の移動速度を一定にする像信号の補正処理技術を用いれば、像ずれ方式の焦点検出も可能である。また、更に、撮影レンズ１の射出瞳１ａを上下及び左右方向の４つの領域に分割し、各領域を通過した光束より形成した２対の２次像で複数の領域で焦点検出を行うような構成も可能である。
【００５２】
尚、本実施形態において光偏光部材９を用いることにより色収差が発生する。このときには新たに色収差補正用レンズを光偏光部材９と光電変換素子との間に設けても良い。
【００５３】
尚、以上の各実施形態においてサブミラー８や凹面鏡１９等でカメラ底部方向に反射した光束を光検出器で検出して、該光検出器からの信号を用いて被写界輝度を測光する、測光用に用いても良い。これによれば、被写界の広い範囲における輝度を測光することができる。
【００５４】
【発明の効果】
本発明によれば、撮影範囲内の上下方向と左右方向の任意の広い領域で焦点検出ができること、又は、広い領域にまたがる複数の領域で焦点検出ができること、又は、連続した２次元領域内の任意の点においても焦点検出ができる光学機器を達成することができる。
【００５５】
この他本発明によれば、簡単な構成でカメラの大型化を招くことなく焦点検出が可能な領域を飛躍的に拡大することができる。また焦点検出が連続した２次元的領域に拡張され、所望とする任意の位置の被写体に焦点を合わせることが容易にでき、撮影又は観察をする際の構図の設定の自由度が増大する等の効果を得ることができる。
【図面の簡単な説明】
【図１】  本発明の実施形態１の要部概略図
【図２】  図１の焦点検出装置の一部分の拡大説明図
【図３】  図１の回折光学素子の回折現象を示す説明図
【図４】  図１の回折光学素子のレンズ作用を示す説明図
【図５】  キノフォームとして構成した回折光学素子の断面形状を示す説明図
【図６】  図５のキノフォームを段階近似したバイナリ-光学素子の断面形状を示す説明図
【図７】  図１の絞り及び２次結像系を示す説明図
【図８】  図１の光電変換素子を示す説明図
【図９】  図１の光電変換素子上での像の歪みを示す説明図
【図１０】  本発明の実施形態２の要部概略図
【図１１】  図１０の焦点検出装置の一部分の拡大説明図
【図１２】  図１０の光電変換素子上での像の歪みを示す説明図
【図１３】  従来の焦点検出装置を示す概略図
【符号の説明】
１  撮影レンズ
１ａ  撮影レンズの射出瞳
２  撮影レンズの光軸
２ａ  焦点検出装置へ入射する光束の光軸
３  フィルム面
４  主ミラー
５  焦点板
６  ペンタプリズム
７  接眼レンズ
８  サブミラー
９  回折光学素子（ＤＯＥ）
１０，２０
近軸的結像面
１１  フィールドレンズ
１２  反射鏡
１３  赤外線カットフィルター
１４  絞り
１５  ２次結像系
１６  光電変換素子
１７  ２次結像面
１９  集光性を有する反射鏡
１０１  撮影レンズ
１０２  主ミラー
１０３  焦点板
１０４  ペンタプリズム
１０５  接眼レンズ
１０６  集光性を有する反射鏡
１０７  フィルム面
１０８  焦点検出装置
【図１】
0004439626.tif 000002
【図２】
0004439626.tif 000003
【図３】
0004439626.tif 000004
【図４】
0004439626.tif 000005
【図５】
0004439626.tif 000006
【図６】
0004439626.tif 000007
【図７】
0004439626.tif 000008
【図８】
0004439626.tif 000009
【図９】
0004439626.tif 000010
【図１０】
0004439626.tif 000011
【図１１】
0004439626.tif 000012
【図１２】
0004439626.tif 000013
【図１３】
0004439626.tif 000014